(57)【要約】      （修正有）【課題】信号伝送の品質をより安定させ、その信頼性を高めることができるＵＳＢ構造を提供する。【解決手段】第一端子ユニットと第二端子ユニット１３４片側の接触部１３４１は舌板１２１底面に露出し、反対側の溶接部１３４２は絶縁台体１後方へ通り抜け、アダプター板２１前側表面の第一接点ユニット２１１、第二接点ユニット２１２は第一端子ユニット、第二端子ユニット１３４が備える溶接部１３４２と溶接して固定し、その後側表面の第一金属接点ユニット、第二金属接点ユニットは、表面粘着技術方式を利用して、対応接続端子ユニット３２、アダプター端子ユニット１４４が備える連接部１４４１と溶接して固定し、連接部１４４１反対側の溶接部１３４２により絶縁台体１外部へと垂直に通り抜け、さらに連接部１４４１反対側の溶接部１４４２により絶縁台体１外部へと垂直に通り抜ける。【選択図】図１
0003163895.tif 000002
【実用新案登録請求の範囲】
【請求項１】
USB構造は、内部に１個以上の電子パーツを設置するUSB3.0構造で、絶縁台体と回路モジュールからなり、
該絶縁台体は、２個以上の第一連接ポートと第二連接ポートを備え、
該第一連接ポート、該第二連接ポート前方に備える舌板内には、第一端子ユニットと第二端子ユニットをそれぞれ定位し、
該第一端子ユニットと該第二端子ユニットの片側には、該舌板底面に露出し、外部コネクターと電気的連接を呈する接触部をそれぞれ設置し、反対側は、該絶縁台体外部へ通り抜ける溶接部を外へと延伸し、
該絶縁台体は、該第一連接ポート、該第二連接ポートが備える舌板底面に、端子台を収容する収容設置空間をそれぞれ形成し、しかも該舌板と該端子台内部には、第一端子ユニット、第二端子ユニットをそれぞれ定位し、
該回路モジュールは、複数の電子パーツを備えるアダプター板を設置し、
該アダプター板前側表面には、該第一連接ポート、該第二連接ポート後方へ通り抜ける第一端子ユニットと第二端子ユニットが備える溶接部と、溶接する固定する第一接点ユニット、第二接点ユニットを、それぞれ設置し、
しかも、該第一接点ユニット、該第二接点ユニットから離れた後側表面には、対応接続端子ユニット、アダプター端子ユニットが備える連接部と溶接して固定する、２個以上の第一金属接点ユニット、第二金属接点ユニットを、表面粘着技術方式を利用してそれぞれ設置し、
該連接部反対側の溶接部は、該絶縁台体外部へと垂直に通り抜け、さらに所定の回路板上において電気的連接を形成し、
これにより外部信号は、該アダプター板上の電子パーツにより、ノイズ、電磁雑音をろ過され、フィルターの機能を備えたことを特徴とするUSB構造。
【請求項２】
前記回路モジュールのアダプター板表面上には、複数の電子パーツを設置し、しかも該電子パーツは、汎用チョークコイル(CMC)、エレクトリックレジスター、或いはキャパシターで、
該アダプター前側表面の、上下に間隔を開けて排列する各電子パーツ上方位置には、第一接点ユニット及び第二接点ユニットをそれぞれ設置し、
該第一接点ユニット、該第二接点ユニットから離れた、後側表面の電子パーツに向う下方位置には、第一金属接点ユニット、第二金属接点ユニットをそれぞれ設置したことを特徴とする請求項１に記載のUSB構造。
【請求項３】
前記絶縁台体は、ベースを備え、
該ベースの上下には、２個以上の第一連接ポート、第二連接ポートをそれぞれ組立てて定位し、
該第二連接ポート底部には、底台を結合して定位し、
該底台後側には、該アダプター端子ユニット及び該対応接続端子ユニットが備える溶接部が通り抜ける複数の端子槽を垂直に開設したことを特徴とする請求項１に記載のUSB構造。
【請求項４】
前記底台後側には、該対応接続台を定位し、
該対応接続台上には、該対応接続端子ユニットを通して定位する複数の穿槽を垂直に開設し、
しかも、該対応接続台前側には、複数の係合槽を設置し、
該対応接続端子ユニットが備える溶接部と、反対側の連接部との連接位置は、該係合槽内に嵌って定位される転折部を屈折して延伸したことを特徴とする請求項３に記載のUSB構造。
【請求項５】
前記絶縁台体の第一連接ポート前方に延伸する舌板底面には、該第一端子ユニットを定位する複数の収容設置槽を上向きに陥没状に設置し、
該端子台底面には、該第二端子ユニットを定位する複数の穿置槽道を上向きに陥没状に設置し、
該絶縁台体の第二連接ポート前方に延伸する舌板底面には、該第一端子ユニットを定位する複数の収容設置槽を上向きに陥没状に設置し、
該端子台底面には、該第二端子ユニットを定位する複数の穿置槽道を上向きに陥没状に設置したことを特徴とする請求項１に記載のUSB構造。
【請求項６】
前記絶縁台体外部は、遮蔽殻体で覆い、
該遮蔽殻体は、前殻体、後殻体、定位挟板を備え、
該前殻体、該後殻体は、該絶縁台体外部をそれぞれ覆い、一体に結合し、
該定位挟板は、該ベースを挟持して定位し、該前殻体開口位置に延伸する複数の弾片と接触保持を形成し、
該前殻体と該定位挟板との上下両側には、外部のコネクターを挿入可能な挿入槽を形成したことを特徴とする請求項１に記載のUSB構造。
【請求項７】
USB構造は、内部に１個以上の電子パーツを設置するUSB3.0構造で、絶縁台体と回路モジュールからなり、
該絶縁台体は、２個以上の第一連接ポートと第二連接ポートを備え、
該第一連接ポート、該第二連接ポート前方に備える舌板内には、第一端子ユニットと第二端子ユニットをそれぞれ定位し、
該第一端子ユニットと該第二端子ユニットの片側には、該舌板底面に露出し、外部コネクターと電気的連接を呈する接触部をそれぞれ設置し、反対側は、該絶縁台体外部へ通り抜ける溶接部を外へと延伸し、
該絶縁台体は、該第一連接ポート、該第二連接ポートが備える舌板底面に、端子台を収容する収容設置空間をそれぞれ形成し、しかも該舌板と該端子台内部には、第一端子ユニット、第二端子ユニットをそれぞれ定位し、
該回路モジュールは、複数の電子パーツを備えるアダプター板を設置し、
該アダプター板前側表面には、該第一連接ポート、該第二連接ポート後方へ通り抜ける第一端子ユニットと第二端子ユニットが備える溶接部と、溶接する固定する第一接点ユニット、第二接点ユニットを、それぞれ設置し、
しかも、該第一接点ユニット、該第二接点ユニットから離れた後側表面には、対応接続端子ユニット、アダプター端子ユニットが備える連接部と溶接して固定する、２個以上の第一金属接点ユニット、第二金属接点ユニットを、表面粘着技術方式を利用してそれぞれ設置し、
該連接部反対側の溶接部は、該絶縁台体外部へと垂直に通り抜け、さらに所定の回路板上において電気的連接を形成し、
これにより外部信号は、該アダプター板上の電子パーツにより、過渡電圧、瞬間異常電圧、静電をろ過し、サージ防止、静電保護機能を備えたことを特徴とするUSB構造。
【請求項８】
前記回路モジュールのアダプター板表面上には、複数の電子パーツを設置し、しかも該電子パーツは、トランジェント電圧サプレッサ(TVS)、サージ吸収器(Varistor)で、
該アダプター前側表面の、上下に間隔を開けて排列する各電子パーツ上方位置には、第一接点ユニット及び第二接点ユニットをそれぞれ設置し、
該第一接点ユニット、該第二接点ユニットから離れた、後側表面の電子パーツに向う下方位置には、第一金属接点ユニット、第二金属接点ユニットをそれぞれ設置したことを特徴とする請求項７に記載のUSB構造。
【請求項９】
前記絶縁台体は、ベースを備え、
該ベースの上下には、２個以上の第一連接ポート、第二連接ポートをそれぞれ組立てて定位し、
該第二連接ポート底部には、底台を結合して定位し、
該底台後側には、該アダプター端子ユニット及び該対応接続端子ユニットが備える溶接部が通り抜ける複数の端子槽を垂直に開設したことを特徴とする請求項７に記載のUSB構造。
【請求項１０】
前記底台後側には、該対応接続台を定位し、
該対応接続台上には、該対応接続端子ユニットを通して定位する複数の穿槽を垂直に開設し、
しかも、該対応接続台前側には、複数の係合槽を設置し、
該対応接続端子ユニットが備える溶接部と、反対側の連接部との連接位置は、該係合槽内に嵌って定位される転折部を屈折して延伸したことを特徴とする請求項９に記載のUSB構造。
【請求項１１】
前記絶縁台体の第一連接ポート前方に延伸する舌板底面には、該第一端子ユニットを定位する複数の収容設置槽を上向きに陥没状に設置し、
該端子台底面には、該第二端子ユニットを定位する複数の穿置槽道を上向きに陥没状に設置し、
該絶縁台体の第二連接ポート前方に延伸する舌板底面には、該第一端子ユニットを定位する複数の収容設置槽を上向きに陥没状に設置し、
該端子台底面には、該第二端子ユニットを定位する複数の穿置槽道を上向きに陥没状に設置したことを特徴とする請求項７に記載のUSB構造。
【請求項１２】
前記絶縁台体外部は、遮蔽殻体で覆い、
該遮蔽殻体は、前殻体、後殻体、定位挟板を備え、
該前殻体、該後殻体は、該絶縁台体外部をそれぞれ覆い、一体に結合し、
該定位挟板は、該ベースを挟持して定位し、該前殻体開口位置に延伸する複数の弾片と接触保持を形成し、
該前殻体と該定位挟板との上下両側には、外部のコネクターを挿入可能な挿入槽を形成したことを特徴とする請求項７に記載のUSB構造。
【考案の詳細な説明】
【技術分野】
【０００１】
本考案はUSB構造に関し、特に絶縁台体内部に複数の電子パーツを備える転折板を設置し、転折板によりそれぞれ各端子ユニットと電気的連接を形成し、こうして電子パーツがノイズ、電磁波の干渉をろ過することができ、或いはサージを防止し、静電保護使用を提供し、信号伝送の品質をより安定させ、その信頼性を高めることができるUSB構造に関する。
【背景技術】
【０００２】
電子技術の急速な発展に従い、コンピューターは、デスクトップ型から、小さくて携帯に便利なノート型コンピューターへと発展し、しかも社会のあらゆる場所に存在するようになっている。
使用者がデータ、信号の伝送を行う、或いは周辺設備と連接しようとする時には、いわゆる周辺設備インターフェースが必要である。
一般に市販されている周辺設備インターフェースで、もっとも普及しているのは、USB(Universal Serial Bus)であり、それはホッとプラグ(Hot Plug)の機能を備える。
【０００３】
しかし、データ伝送速度と電源供給の安定性についていえば、早期のUSB2.0標準(USB Hi-Speed)の伝送速度は12Mbpsから480 Mbpsであるため、駆動電力が比較的小さく、伝送速度の要求が高くない周辺設備周辺設備(カードリーダー、プリンター、ポータブルディスク、インターネット電話、ウェブカメラなど)にしか適用することができなかった。
すなわち、外付けの高容量ハードディスク、DVDレコーダー／プレーヤー、さらには最新のブルーレイ技術などに対しては、伝送速度が不十分で、しかも駆動運転電力が足りず、その最大の技術的欠点になっていた。
【０００４】
よって、業者は、次世代のUSB3.0標準(USB Super-Speed)を開発した。
該各USB3.0コネクターの最高伝送速度は4.8Gbpsに達し、物理特性においてUSB2.0コネクター(すなわちUSB2.0コネクターの基礎の上に端子ユニットを増設した構造)と互換性があるばかりか、双方向伝送を支援し、伝送速度を大幅に向上させることができる。
これにより、電力供給能力が強まったことで、外付けの高容量ハードディスクは外からの電力供給がほとんど不要となり、より多くの周辺設備を連接可能となった。
【０００５】
図９に示すように、従来のUSB2.0マルチポートコネクター構造は、絶縁台体A、上列端子ユニットB、下列端子ユニットC、金属鉄殻Dからなる。
絶縁台体Aが備える第一連接ポートA１、第二連接ポートA２内には、該上列端子ユニットBと該下列端子ユニットCをそれぞれ通して設置し、定位する。
しかも、該上列端子ユニットB、該下列端子ユニットC片側の入力端B１、C１は、絶縁台体A外部へと進出し、所定の回路板と溶接して固定される。
反対側の出力端B２、C２は、第一連接ポートA１と第二連接ポートA２の底面位置においてそれぞれ露出する。
また、該絶縁台体A外部は、該金属鉄殻Dにより覆う。
該金属鉄殻Dは、前鉄殻D１、後鉄殻D２、中挟片D３を組合せて一体に成型し、アース或いは電磁防護の効果を備える。
USB2.0コネクターが、該第一連接ポートA１、該第二連接ポートA２と絶縁台体Aとの間の挿入接続空間にそれぞれ挿入されると、対応して接続することにより、末端の電子製品との電気的に連接を達成する。
【０００６】
しかし、該第一連接ポートA１及び該第二連接ポートA２内には、１列の端子ユニットをそれぞれ増設し、USB3.0マルチポートコネクターを構成しているが、挿入接続空間には限界があり、上列端子ユニットB、下列端子ユニットCの組立てを不便にし、それを困難にしているばかりか、構造全体の安定性も劣り、外部コネクターと抜き差しする際の定位効果を確保することができない。
また、上列端子ユニットB、下列端子ユニットCと増設した１列の端子ユニットとの間の距離が近いため、遮蔽と隔離を行わなければ、信号伝送の品質と安定性に影響を及ぼす。
これにより、回路板上の他の電子パーツを干渉する電磁雑音 (Electro-magnetic Interference、EMI)が大幅に高まり、さらには信号伝送の中断或いは失効をも招いてしまう。
本考案は、従来のUSB2.0マルチポートコネクターの上記した欠点に鑑みてなされたものである。
【先行技術文献】
【特許文献】
【０００７】
【特許文献１】登録実用新案第３１４３０１２号公報
【考案の概要】
【考案が解決しようとする課題】
【０００８】
本考案が解決しようとする課題は、電子パーツがノイズ、電磁波の干渉をろ過することができ、或いはサージを防止し、静電保護使用を提供し、信号伝送の品質をより安定させ、その信頼性を高めることができるUSB構造を提供することである。
【課題を解決するための手段】
【０００９】
上記課題を解決するため、本考案は下記のUSB構造を提供する。
USB構造のアダプター板の後側表面において、電子パーツの上下位置に対応する２列の第一金属接点ユニット、第二金属接点ユニットは、表面粘着技術(SMT)方式を利用して、対応接続端子ユニット、アダプター端子ユニットが備える連接部と溶接して固定し、
これにより該アダプター板は運用可能な空間を拡大し、より多くの電子パーツを収容設置可能となり、各電子パーツが相互に過度に密集することを避け、より良い電気特性を達成可能で、
絶縁台体が備えるベースの上下には、２個以上の第一連接ポートと第二連接ポートをそれぞれ垂直に組立てて定位し、該第二連接ポート底部には、底台を結合して定位し、しかも該底台後側には、対応接続台を定位し、
該絶縁台体外部は、遮蔽殻体により覆いアースの効果を備え、
この分離、組み立て設計により、該第一連接ポートと該第二連接ポート内に定位する第一端子ユニットと第二端子ユニット、及び該対応接続台内部に通して定位する対応接続端子ユニット間は、良好な遮蔽と隔離を形成し、同時に距離が接近するために起こる相互電磁干渉を効果的に低下させられ、さらに嵌合方式を利用し組み立ての利便性を向上させ、より高い構造安定性を備え、多数回の抜き差しにおける定位効果を確保することができ、
回路モジュールは、複数の電子パーツ及び回路レイアウトを備えるアダプター板を備え、これにより外部信号は、該絶縁台体に備える第一連接ポート及び第二連接ポート前方の舌板内に通して設置し定位する第一端子ユニット、第二端子ユニットにより、該アダプター板前側表面の各電子パーツ上方位置の第一接点ユニットと第二接点ユニットにそれぞれ伝送され、複数の電子パーツの６個のフィルターパーツを利用し、該アダプター板が備える信号入力端、信号出力端と電気的に連接し、さらに３個の保護パーツを連接後、フィルター或いはサージ防止、静電保護機能を備える信号回路を形成し、ノイズ、電磁雑音の干渉、或いは異常電圧をろ過し、静電保護の使用を提供し、
該アダプター板後側表面の第一金属接点ユニット、第二金属接点ユニットにより、該対応接続端子ユニット、該アダプター端子ユニットを通して、所定の回路板上に出力し、
こうして信号品質はより安定し、信頼性が向上し、信号伝送の中断或いは失効を回避することができる。
【考案の効果】
【００１０】
本考案のUSB構造は、絶縁台体内部に複数の電子パーツを備える転折板を設置し、転折板によりそれぞれ各端子ユニットと電気的連接を形成し、こうして電子パーツはノイズ、電磁波の干渉をろ過することができ、或いはサージを防止し、静電保護使用を提供し、信号伝送の品質をより安定させ、その信頼性を高めることができる。
【図面の簡単な説明】
【００１１】
【図１】本考案の立体分解図である。
【図２】本考案の別の視角からの立体分解図である。
【図３】本考案組立て時の立体分解図(一)である。
【図４】本考案組立て時の立体分解図(二)である。
【図５】本考案組立て後の立体外観図である。
【図６】本考案組立て後の側視断面図である。
【図７】本考案第一実施例の回路図である。
【図８】本考案第二実施例の立体外観図である。
【図９】従来の構造の立体分解図である。
【考案を実施するための形態】
【００１２】
以下に図面を参照しながら本考案を実施するための最良の形態について詳細に説明する。
【実施例】
【００１３】
本考案の立体分解図、別の視角からの立体分解図、組立て時の立体分解図(一)である図１、２、３に示すように、本考案は絶縁台体１、回路モジュール２、対応接続台３、遮蔽殻体４からなる。
【００１４】
該絶縁台体１は、ベース１１を備え、該ベース１１の上下には、２個以上の第一連接ポート１２、第二連接ポート１３をそれぞれ組立てて定位する。
【００１５】
該第二連接ポート１３底部には、底台１４を結合して定位する。
【００１６】
該ベース１１頂点部には、複数の引っ掛けブロック１１１と接合槽１１２を設置し、さらに底部には、複数の係合フック１１３と凸柱１１４を設置する。
【００１７】
該第一連接ポート１２前方には、舌板１２１を延伸し、該舌板１２１底面には、端子台１２２を収容する。
【００１８】
該舌板１２１と該端子台１２２内部には、上下平行に排列する第一端子ユニット１２３と第二端子ユニット１２４を定位する。
【００１９】
該舌板１２１底面には、該第一端子ユニット１２３を定位する複数の収容設置槽１２１１を上向きに陥没状に設置する。
【００２０】
該端子台１２２底面には、該第二端子ユニット１２４を定位する複数の穿置槽道１２２１を上向きに陥没状に設置する。
【００２１】
該第一端子ユニット１２３と該第二端子ユニット１２４の片側には、該舌板１２１底面に露出する接触部１２３１、１２４１をそれぞれ設置し、反対側には、該第一連接ポート１２後方へ通り抜ける溶接部１２３２、１２４２を外へと延伸する。
【００２２】
該第一連接ポート１２底部には、複数の係合フック１２５と凸柱１２６を設置する。
【００２３】
該第二連接ポート１３前方には、舌板１３１を延伸し、舌板１３１底面には、端子台１３２を収容する。
【００２４】
該舌板１３１と該端子台１３２内部には、上下平行に排列する第一端子ユニット１３３と第二端子ユニット１３４を定位する。
【００２５】
該舌板１３１底面には、該第一端子ユニット１３３を定位する複数の収容設置槽１３１１を上向きに陥没状に設置する。
【００２６】
該端子台１３２底面には、該第二端子ユニット１３４を定位する複数の穿置槽道１３２１を上向きに陥没状に設置する。
【００２７】
該第一端子ユニット１３３と該第二端子ユニット１３４との片側には、該舌板１３１底面に露出する接触部１３３１、１３４１をそれぞれ設置し、反対側には、該第二連接ポート１３後方へ通り抜ける溶接部１３３２、１３４２を外へと延伸する。
【００２８】
該第二連接ポート１３頂点部には、複数の嵌合ブロック１３５と定位孔１３６を設置し、底部には、複数の係合掛け１３７と凸柱１３８を設置する。
【００２９】
該底台１４上には、複数の嵌合槽１４１と接合槽１４２を設置し、該底台１４後側には、複数の端子槽１４３を垂直に貫通させる。
【００３０】
該各端子１４３内には、アダプター端子ユニット１４４を定位し、
【００３１】
該アダプター端子ユニット１４４片側には、連接部１４４１を設置し、該連接部１４４１の反対側には、該端子槽１４３外部へと通り抜け、所定の回路板と溶接して固定する溶接部１４４２を設置する。
【００３２】
該回路モジュール２には、複数の電子パーツ２２と回路レイアウトを備えるアダプター板２１を設置する。
【００３３】
該電子パーツは、汎用チョークコイル (Common Mode Choke 、CMC)、エレクトリックレジスター、キャパシターなどのフィルター機能を備えるフィルターパーツ２２１であるが、実際の使用に当たっては、これに限定するものではなく、トランジェント電圧サプレッサ(Transient Voltage Suppressor、TVS)、或いはサージ吸収器(Varistor)などの、サージ防止、静電保護機能を備える保護パーツ２２２とすることができる。
【００３４】
該アダプター板２１前側表面には、上下に間隔を開けて排列する６個のフィルターパーツ２２１を設置し、該２個のフィルターパーツ２２１の間には、２個の保護パーツ２２２を設置する。
【００３５】
該各フィルターパーツ２２１上方には、第一連接ポート１２、第二連接ポート１３後方へ通り抜ける溶接部１２３２、１２４２、１３３２、１３４２と溶接して固定する第一接点ユニット、第二接点ユニット２１２をそれぞれ設置する。
【００３６】
該第一接点ユニット２１１、該第二接点ユニット２１２から離れた、後側表面の電子パーツ２２に向う下方位置には、第一金属接点ユニット２１３、第二金属接点ユニット２１４をそれぞれ設置する。
【００３７】
該金属接点ユニット２１３は、アダプター端子ユニット１４４が備える連接部１４４１と溶接して固定され、電気的連接を形成する。
【００３８】
該対応接続台３は、表面上に、複数の穿槽３１を垂直に貫通させ、しかも該各穿槽３１内には、対応接続端子ユニット３２を定位する。
【００３９】
該対応接続端子ユニット３２片側には、連接部３２１を設置し、該連接部３２１の反対側には、該穿槽３１外部へと通り抜け、所定の回路板と溶接して固定される溶接部３２２を設置する。
【００４０】
該連接部３２１と該溶接部３２２との連接位置は、屈折して転折部３２３を延伸後、対応接続台３前側位置において、転折部３２３を嵌めて定位する複数の係合槽３３を設置する。
【００４１】
遮蔽殻体４は、前殻体４１、後殻体４２、定位挟板４３を備え、該前殻体４１、該後殻体４２は、絶縁台体１外部をそれぞれ覆い、一体に結合する。
【００４２】
該定位挟板４３は、該ベース１１を挟持して定位し、該前殻体４１開口位置の複数の弾片４１１と、接触保持を形成する。
【００４３】
該前殻体４１と該定位挟板４３との上下両側には、外部のコネクターを挿入可能な挿入槽４４を形成する。
【００４４】
該絶縁台体１が備える第一連接ポート１２と第二連接ポート１３の舌板１２１、１３１底面には、端子台１２２、１３２をそれぞれ収容する。
【００４５】
これにより、該端子台１２２、１３２両側片上の係合部は、該舌板１２１、１３１内壁面位置に備える嵌合部内において、下から上へと係合して、結合し定位する(図示なし)。
【００４６】
該第一連接ポート１２及び該第二連接ポート１３を、該ベース１１、該底台１４とそれぞれ組立てて定位する時、該端子台１２２、１３２底部の複数の凸柱１２６、１３８を利用し、該ベース１１、該底台１４の対応する接合孔(図示なし)中に嵌め入れることができる。
【００４７】
該ベース１１上下に、嵌合の方式を利用し、２個以上の第一連接ポート１２及び第二連接ポート１３をそれぞれ垂直に組立てて定位し、該第二連接ポート１３底部において、該底台１４を安定的に係合して定位するだけで良い。
【００４８】
本考案組立て時の立体分解図(一)、組立て時の立体分解図(二)、組立て後の立体外観図、組立て後の側視断面図である図３、４、５、６に示すように、上記した構成部材を組立てる時には、先ず、該第一連接ポート１２底部の係合フック１２５を、該ベース１１両側辺の引っ掛けブロック１１１に下方へと嵌合する。
【００４９】
これにより、その凸柱１２６は、該接合槽１１２中に対応して嵌合され、該第一連接ポート１２は、該ベース１１上方に垂直に組み立てられ、係合、定位を呈する。
【００５０】
さらに、該ベース１１底部の係合フック１１３により、該第二連接ポート１３両側辺上の嵌合ブロック１３５に下方へと嵌合した後、該凸柱１１４は、該定位孔１３６中に対応して嵌合され、同時に、該第二連接ポート１３は、該ベース１１下方に垂直に組立てられ、係合定位を呈する。
【００５１】
該第一連接ポート１２に通して定位する第一端子ユニット１２３と第二端子ユニット１２４の溶接部１２３２、１２４２を、該アダプター板２１前側表面の各フィルターパーツ２２１上方位置の第一接点ユニット２１１と、それぞれ溶接し、電気的連接を形成する。
【００５２】
同時に、該第二連接ポート１３後方に通り抜ける第一端子ユニット１３３と第二端子ユニット１３４の溶接部１３３２、１２４２は、該アダプター板２１下方の第二接点ユニット２１２にそれぞれ溶接され、電気的連接を形成する。
【００５３】
この後、該第二連接ポート１３底部の係合掛け１３７を、該底台１４両側辺上の嵌合槽１４１内に下方へと嵌合し、該凸柱１３８により、該接合槽１４２中に対応して嵌める。
【００５４】
こうして、該底台１４は、該第二連接ポート１３下方に垂直に組立てられ、係合定位を呈する。
【００５５】
該アダプター端子ユニット１４４上の連接部１４４１と該アダプター板２１後側表面の該各電子パーツ２２下方位置に対応する第一金属接点ユニット２１３は、表面粘着技術(SMT)の方式を利用し、溶接することができる。
【００５６】
該対応接続台３を、該底台１４後側に定位し、これにより該穿槽３１内に通して設置し定位する対応接続端子ユニット３２の溶接部３２２は、該複数の端子槽１４３外へと垂直に通り抜ける。
【００５７】
反対側の連接部３２１も、帳面粘着技術(SMT)の方式を利用し、第二金属接点ユニット２１４上に溶接し、電気的連接を形成する。
【００５８】
さらに、該遮蔽殻体４で、組立てて結合後の絶縁台体１外部を覆い、一体を形成する。
【００５９】
これにより、該第一連接ポート１２、該第二連接ポート１３は、上下両側の挿入槽４４内にそれぞれ進入し、外部のコネクターと電気的に連接し、こうして本考案のUSB3.0構造全体の組立てを完成する。
【００６０】
本考案組立て後の側視断面図、第一実施例の回路図、第二実施例の立体外観図である図６、７、８に示すように、該アダプター端子ユニット１４４及び該対応接続端子ユニット３２が備える溶接部１４４２、３２２は、該底台１４の複数の端子槽１４３を垂直に通り抜け、所定の回路板上に溶接され、電気的連接を形成する。
【００６１】
該遮蔽殻体４は、該定位挟板４３を利用し、該ベース１１上と該前殻体４１開口位置において、複数の弾片４１１を挟持して定位し、接触保持を形成する。
【００６２】
同時に、該遮蔽殻体４底側に延伸する複数のピンは、所定の回路板上の穿孔を通り抜け、溶接して固定され、アース回路を形成し、こうしてアースの効果を備える。
【００６３】
これにより、コネクター周囲に生じる電磁波干渉、及び該アダプター板２１上のノイズは、所定の回路板のアース端に導引、伝送され、放出される。
【００６４】
使用時には、先ず、外部のコネクターを、該遮蔽殻体４に沿って、挿入槽４４内に挿入して安定的に接続すると、該第一連接ポート１２、或いは該第二連接ポート１３は、外部コネクター内部の挿入接続空間に収容設置される。
【００６５】
さらに、上列端子組、下列端子組(図示なし)は、該第一連接ポート１２、或いは該第二連接ポート１３内に定位する第一端子ユニット１２３、１３３、及び第二端子ユニット１２４、１３４と、それぞれ良好な電気的連接を形成する。
【００６６】
しかも、外部コネクターがコンピューターCPUに連接することで、内部データの信号双方向伝送、編集、或いは処理動作を行うことができる。
【００６７】
外部信号は、該第一端子ユニット１２３、１３３、及び該第二端子ユニット１２４、１３４により、該アダプター板２１前側表面の各電子パーツ２２上方の第一接点ユニット２１１、第二端子ユニット１３４にそれぞれ伝送され、下方位置の電子パーツ２２を利用して、不要なノイズ、電磁雑音(EMI)をろ過し、有効な信号を保留することができる。
【００６８】
さらに、該アダプター板２１後側表面により、該各電子パーツ２２下方位置の第一金属接点ユニット２１３及び第二金属接点ユニット２１４に対応し、該アダプター端子ユニット１４４、該対応接続端子ユニット３２をそれぞれ経由して、所定の回路板上のマイクロプロセッサー、コントロールチップ、或いはICに出力され、信号の転換を行い、直列データ方式により出力する。
【００６９】
こうして、該アダプター板２１上の各電子パーツ２２により、不要なノイズ、電磁雑音干渉、或いは過渡電圧、瞬間異常電圧、静電をろ過し、良好なフィルター、或いはサージ防止、静電保護機能を備える。
【００７０】
これにより、信号の伝送品質は、より安定し、しかも信頼性が高くなり、信号伝送の中断或いは失効を回避可能な効果を達成することができる。
【００７１】
上記は、本考案の最適実施例に過ぎず、本考案の実用新案登録の請求範囲を限定するものではない。
【００７２】
本考案のアダプター板２１が備える信号入力端、信号出力端間には、複数の電子パーツ２２を連接し、該アダプター２１の全体線路には、１８個の信号入力端(A U１〜U９、B U１〜U９)を配置する。
【００７３】
並びに、１８個の信号入力端は、該第一金属接点ユニット２１３、該第二金属接点ユニット２１４を通して、該対応接続端子ユニット３２及び該アダプター端子ユニット１４４にそれぞれ電気的に連接する。
【００７４】
該アダプター板２１の全体線路配置も、信号を伝送及び受信可能な１８個の信号出力端(A U１〜U９、B U１〜U９)を備える。
【００７５】
しかも、該１８個の信号出力端は、該第一接点ユニット２１１、該第二接点ユニット２１２を通して、該第一連接ポート１２及び該第二連接ポート１３に通して設置し定位する第一端子ユニット１２３、１３３、該第二端子ユニット１２４、１３４とそれぞれ電気的に連接する。
【００７６】
複数の電子パーツ２２は、汎用チョークコイル(CMC)、エレクトリックレジスター、キャパシターなどのフィルター機能を備えるフィルターパーツ２２１で、またはトランジェント電圧サプレッサ(TVS)、サージ吸収器(Varistor)などの保護パーツ２２２とすることができる。
【００７７】
こうして、６個のフィルターパーツ２１１を、該アダプター板２１が備える信号入力端、信号出力端と電気的に連接させ、さらに３個の保護パーツ２２２を並列接続する。
【００７８】
しかも、該電子パーツ２２は、使用者の必要或いは製品の規格設計に応じて、交換或いは使用数を増減することができる。
【００７９】
それは、複数の電子パーツ２２が、該アダプター板２１が備える信号入力端、信号出力端と電気的連接を形成するだけで、フィルター、或いはサージ防止、静電保護機能を備える信号回路を形成することができる。
【００８０】
これにより、外部信号は、該第一連接ポート１２、或いは該第二連接ポート１３が備える第一端子ユニット１２３、１３３、該第二端子ユニット１２４、１３４により、該アダプター板２１上の電子パーツ２２にそれぞれ伝送された後、さらに該電子パーツ２２を利用して、ノイズ、電磁雑音干渉、或いは異常電圧と静電をろ過し、良好なフィルター、或いはサージ防止、静電保護機能を備える。
【００８１】
しかも、瞬間的に発生する過電圧、電流を防止することで、ショートの問題を排除するため、信号伝送の品質をより安定させ、信頼性を高め、信号伝送の中断或いは失効を回避可能な効果を達成することができる。
【００８２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００８３】
本考案USB構造は実用新案の要件である新規性を備え、従来の同類製品に比べ十分な進歩を有し、実用性が高く、社会のニーズに合致しており、産業上の利用価値は非常に大きい。
【符号の説明】
【００８４】
１  絶縁台体
１１  ベース
１１１  引っ掛けブロック
１１２  接合槽
１１３  係合フック
１１４  凸柱
１２  第一連接ポート
１２１  舌板
１２１１  収容設置槽
１２２  端子台
１２２１  穿置槽道
１２３  第一端子ユニット
１２３１  接触部
１２３２  溶接部
１２４  第二端子ユニット
１２４１  接触部
１２４２  溶接部
１２５  係合フック
１２６  凸柱
１３  第二連接ポート
１３１  舌板
１３１１  収容設置槽
１３２  端子台
１３２１  穿置槽道
１３３  第一端子ユニット
１３３１  接触部
１３３２  溶接部
１３４  第二端子ユニット
１３４１  接触部
１３４２  溶接部
１３５  嵌合ブロック
１３６  定位孔
１３７  係合掛け
１３８  凸柱
１４  底台
１４１  嵌合槽
１４２  接合槽
１４３  端子槽
１４４  アダプター端子ユニット
１４４１  連接部
１４４２  溶接部
２  回路モジュール
２１  アダプター板
２１１  第一接点ユニット
２１２  第二接点ユニット
２１３  第一金属接点ユニット
２１４  第二金属接点ユニット
２２  電子パーツ
２２１  フィルターパーツ
２２２  保護パーツ
３  対応接続台
３１  穿槽
３２  対応接続端子ユニット
３２１  連接部
３２２  溶接部
３２３  転折部
３３  係合槽
４  遮蔽殻体
４１  前殻体
４１１  弾片
４２  後殻体
４３  定位挟板
４４  挿入槽
A  絶縁台体
A１  第一連接ポート
A２  第二連接ポート
B  上列端子ユニット
B１  入力端
B２  出力端
C  下列端子ユニット
C１  入力端
C２  出力端
D  金属鉄殻
D１  前鉄殻
D２  後鉄殻
D３  中挟片
【図１】
0003163895.tif 000003
【図２】
0003163895.tif 000004
【図３】
0003163895.tif 000005
【図４】
0003163895.tif 000006
【図５】
0003163895.tif 000007
【図６】
0003163895.tif 000008
【図７】
0003163895.tif 000009
【図８】
0003163895.tif 000010
【図９】
0003163895.tif 000011